(57)【要約】【課題】組み立てが容易、且つ少ない実装面積を実現可能な複合スイッチを提供する。【解決手段】本体部１０は、プッシュスイッチ及びロータリスイッチの固定接点を備えると共に、可動接点３０、４０、６０を収納する。プッシュスイッチの可動接点である下部電極板３０及び上部電極板４０は、弾性力を有し、押圧操作時に変形する。変形時、上部電極板４０は下部電極板３０と接触可能であり、下部電極板３０は本体部１０の内側底面の中央部に設けられるプッシュスイッチ用接点対１６、１７を導通させる。本体部１０の内側底面には、ロータリスイッチの固定接点であるロータリスイッチ用接点が、プッシュスイッチ用接点対１６、１７の外側において同一円周上に形成される。ロータリスイッチの可動接点であるブラシ６０は、回転操作力を受けるレバー７０に固定され、回転操作に応じて、ロータリスイッチ用接点を導通させる。【選択図】図２
2008177098.tif 000002
【特許請求の範囲】
【請求項１】
押圧操作によるプッシュスイッチと回転操作によるロータリスイッチとを備える複合スイッチであって、
前記プッシュスイッチ及び前記ロータリスイッチの固定接点を備えると共に、前記プッシュスイッチ及び前記ロータリスイッチの可動接点を収納する本体部と、
前記プッシュスイッチの前記固定接点として、前記本体部の内側底面の中央部に設けられたプッシュスイッチ用接点対と、
前記プッシュスイッチの前記可動接点として、弾性力を有し、押圧操作時に変形して前記プッシュスイッチ用接点対を導通させる下部電極板と、
前記プッシュスイッチの前記可動接点として、弾性力を有し、押圧操作時に変形して前記下部電極板と接触可能な上部電極板と、
回転操作力を受ける前記ロータリスイッチ用のレバーと、
前記ロータリスイッチの前記固定接点として、前記レバーの中立位置から両回転方向の少なくとも各２段の回転操作に応じてそれぞれ異なる接続を可能とすると共に、前記本体部の内側底面の前記プッシュスイッチ用接点対の外側において同一円周上に形成された複数のロータリスイッチ用接点と、
前記レバーに固定され、前記レバーへの回転操作に応じて、前記ロータリスイッチの前記可動接点として、前記ロータリスイッチ用接点の内の１つである共通接点と、他の何れか１つの前記個別接点とを導通させるブラシと、を備える複合スイッチ。
【請求項２】
外周部に位置決め部が形成され、当該位置決め部と前記本体部に設けられたリブとの当接により位置決めされて前記上部電極板を覆う絶縁カバーと、
前記絶縁カバーを前記本体部との間に挟み込んで固定するフレームと、を備える請求項１に記載の複合スイッチ。
【請求項３】
前記上部電極板は、外縁部から延伸して形成されると共に、前記本体部に設けられた端子と電気的に接続される脚部を有し、
前記ブラシは、前記レバーに固定されて前記本体に支持される円環状の固定部と、この固定部の外周に沿って形成されて前記ロータリスイッチ用接点と接触する接触子とを有し、
前記上部電極板の前記脚部と、前記ブラシの前記固定部とは、前記プッシュスイッチの押し操作方向に重なり合って配置される請求項１又は２に記載の複合スイッチ。
【発明の詳細な説明】
【技術分野】
【０００１】
本発明は、押圧操作によるプッシュスイッチと回転操作によるロータリスイッチとを備える複合スイッチに関する。
【背景技術】
【０００２】
複数のスイッチ機能を持たせることにより、部品点数や実装面積の削減を図った複合スイッチが知られている。例えば、フィルムカメラやデジタルカメラなどにおいて、撮影モード切り替えスイッチやズームスイッチと、シャッターとをこのような複合スイッチを用いて一体化する要望がある。
【０００３】
下記に出典を示す特許文献１及び２には、このような複合スイッチの発明が開示されている。特許文献１の複合スイッチは、タクティールスイッチ（プッシュスイッチ）とロータリスイッチとを複合したものである。複合スイッチのベース本体には、タクティールスイッチ部用の固定接点と、ロータリスイッチ部用の固定接点とが形成されている。ロータリスイッチ部用の接点は、１つの共通固定接点と、９つの固定接点とから構成されている。共通固定接点は、ベース本体の中心点を中心とする円に沿って延在している。残りの９つの固定接点は、共通固定接点の基準となる円よりも大径の同心円に沿って、等間隔に形成されている。
【０００４】
特許文献２の複合スイッチは、多方向スイッチとロータリスイッチとを複合したものである。ロータリスイッチの固定接点は、８つの接点部及び１つの共通接点部から構成される。８つの接点部は、略環状に離間して位置決めされている。共通接点部は、これら８つの接点部の内側に略環状に形成されている。
【０００５】
【特許文献１】特開２０００−３３１５６９号公報（第１８〜２６段落等参照）
【特許文献２】特開平１１−３０６９１８号公報（第１２〜２３段落等参照）
【発明の開示】
【発明が解決しようとする課題】
【０００６】
上記特許文献に記載された複合スイッチは、異なる機能のスイッチを１つのスイッチに複合した点で有用なものである。しかし、例えば、これらの複合スイッチに搭載されたロータリスイッチは、共通接点と他の接点とが異なる円周上に配置されている。従って、外側の円の径に対応する面積が必要となり、スイッチの小型化に限界がある。
このような複合スイッチは、小型化、小実装面積化を狙って実用化されているものであり、さらなる小型化が望まれる。
【０００７】
本願発明は、上記課題に鑑みて創案されたもので、組み立てが容易、且つ少ない実装面積を実現可能な複合スイッチを提供することを目的としている。
【課題を解決するための手段】
【０００８】
上記目的を達成するため、本発明に係る押圧操作によるプッシュスイッチと回転操作によるロータリスイッチとを備える複合スイッチは、
前記プッシュスイッチ及び前記ロータリスイッチの固定接点を備えると共に、前記プッシュスイッチ及び前記ロータリスイッチの可動接点を収納する本体部と、
前記プッシュスイッチの前記固定接点として、前記本体部の内側底面の中央部に設けられたプッシュスイッチ用接点対と、
前記プッシュスイッチの前記可動接点として、弾性力を有し、押圧操作時に変形して前記プッシュスイッチ用接点対を導通させる下部電極板と、
前記プッシュスイッチの前記可動接点として、弾性力を有し、押圧操作時に変形して前記下部電極板と接触可能な上部電極板と、
回転操作力を受ける前記ロータリスイッチ用のレバーと、
前記ロータリスイッチの前記固定接点として、前記レバーの中立位置から両回転方向の少なくとも各２段の回転操作に応じてそれぞれ異なる接続を可能とすると共に、前記本体部の内側底面の前記プッシュスイッチ用接点対の外側において同一円周上に形成された複数のロータリスイッチ用接点と、
前記レバーに固定され、前記レバーへの回転操作に応じて、前記ロータリスイッチの前記可動接点として、前記ロータリスイッチ用接点の内の１つである共通接点と、他の何れか１つの前記個別接点とを導通させるブラシと、を備えることを特徴とする。
【０００９】
上述した従来の複合スイッチにおけるロータリスイッチでは、ロータリスイッチ用接点の共通接点と、他の接点とが異なる円周上に配置されていた。そのため、外側の円の径に対応する面積が必要となり、スイッチの小型化に限界があった。しかし、本構成によれば、ロータリスイッチ用接点が同一円周上に形成される。従って、複合スイッチを小型化することができる。その結果、少ない実装面積を実現可能な複合スイッチを提供することができる。
また、本体部は、プッシュスイッチ及びロータリスイッチの固定接点を備えると共に、プッシュスイッチ及びロータリスイッチの可動接点を収納する。固定接点と可動接点とが、本体部において位置合わせされるので、複合スイッチの組み立てが容易である。
【００１０】
また、本発明に係る複合スイッチは、
外周部に位置決め部が形成され、当該位置決め部と前記本体部に設けられたリブとの当接により位置決めされて前記上部電極板を覆う絶縁カバーと、
前記絶縁カバーを前記本体部との間に挟み込んで固定するフレームと、を備えることを特徴とする。
【００１１】
この構成によれば、絶縁カバーの位置決め部に本体部のリブを当接させ、フレームと本体部との間に絶縁カバーを挟み込んで、絶縁カバーを固定する。従って、フレームによる絶縁カバーの押さえ代を大きく採る必要がなく、複合スイッチを小型化することができる。尚、この位置決め部は、切り込み又はスリットとして絶縁カバーの外周部に設けることが可能である。また、外縁から中心部への切り欠き（凹部）として絶縁カバーの外周部に設けることが可能である。切り欠きの場合には、絶縁カバーの径方向の少なくとも一方の側である中心部側から本体部のリブに当接して、絶縁カバーを位置決めすることができる。切り込み又はスリットの場合には、絶縁カバーの径方向の複数方向から本体部のリブに当接して、絶縁カバーを一決めすることができる。
【００１２】
また、本発明に係る複合スイッチは、
前記上部電極板が、外縁部から延伸して形成されると共に、前記本体部に設けられた端子と電気的に接続される脚部を有し、
前記ブラシが、前記レバーに固定されて前記本体に支持される円環状の固定部と、この固定部の外周に沿って形成されて前記ロータリスイッチ用接点と接触する接触子とを有し、
前記上部電極板の前記脚部と、前記ブラシの前記固定部とが、前記プッシュスイッチの押し操作方向に重なり合って配置されることを特徴とする。
【００１３】
この構成によれば、上部電極板の脚部と、ブラシの固定部とがプッシュスイッチの押し操作方向（上下方向）に重なり合って配置される。従って、複合スイッチを、ロータリスイッチの径方向（横方向）に広げることなく構成することができる。その結果、複合スイッチを小型化することができる。
【発明を実施するための最良の形態】
【００１４】
以下、本発明の実施形態の一例を図面に基づいて説明する。
図１は、本発明の一実施形態に係る複合スイッチの斜視図である。図２は、本発明の一実施形態に係る複合スイッチの分解斜視図である。図３〜図５は、図１に示す複合スイッチの断面図である。それぞれ、図３はIII-III断面図、図４はIV-IV断面図、図５はV-V断面図である。
複合スイッチ１（１Ａ）は、押圧操作によるプッシュスイッチと回転操作によるロータリスイッチとが複合されたスイッチである。この複合スイッチ１は、例えばデジタルカメラなどの基板に実装され、外装部品によって覆われる。この外装部品は、例えばモード切り替えやズーム切り替えのスイッチと、シャッターとが複合されたものである。
【００１５】
図２に示すように、複合スイッチ１（１Ａ）は、本体部１０に、下部電極板３０と、上部電極板４０と、絶縁カバー５０（５０Ａ）と、ブラシ６０と、レバー７０と、フレーム８０とを順次重ね、本体部１０の係合爪２１をフレーム８０の係合孔８１に係合させることによって構成されている。
本体部１０は、プッシュスイッチ及びロータリスイッチの固定接点を備えると共に、プッシュスイッチ及びロータリスイッチの可動接点を収納する。ここで、下部電極板３０及び上部電極板４０は、プッシュスイッチの可動接点である。また、ブラシ６０は、ロータリスイッチの可動接点である。
本体部１０の内側底面の中央部には、固定接点としてプッシュスイッチ用接点対１６、１７が設けられている。プッシュスイッチ用接点対１６、１７は、中央に設けられた中央接点１７と、中央接点１７を取り囲む略環状の下部常接接点１６とから構成されている。
【００１６】
下部電極板３０は、ボウル形状をしており、その外縁部３１が下部常接接点１６に接触している。外縁部３１からは直径に沿って２本の係止部３２が延伸している。係止部３２には、上方向へ突出した凸部３２ａが形成されている。図３に示すように、凸部３２ａが絶縁カバー５０を介してフレーム８０に当接することにより、下部電極板３０の上方向への移動が規制される。
下部電極板３０は、弾力性を有しており、押圧操作時にボウル形状の中央部が変形して中央接点１７に接触する。これにより、下部常接接点１６と中央接点１７とのプッシュスイッチ用接点対が導通する。
【００１７】
図３〜５に示すように、上部電極板４０は、下部電極板３０の上方に所定の隙間を有して配置されている。上部電極板４０は、下部電極板３０と同様に、ボウル形状をしている。上部電極板４０の外縁部４１からは、四方に延伸する脚部４２が形成されている。図５に示すように、この脚部４２は本体部１０において固定接点（上部常接接点１８）と接触する。
上部電極板４０は、弾力性を有しており、押圧操作時にボウル形状の中央部が変形して下部電極板３０に接触する。この押圧操作を第１段目の押圧操作と称する。第１段目の押圧操作により、上部電極板３０と下部電極板４０とを介して、上部常接接点１８と下部常接接点１６とが導通して、複合スイッチ１はプッシュスイッチの第１段目の出力状態を示す。
この出力状態は、下部常接接点１６と導通する端子１６ｔ、上部常接接点１８と導通する端子１８ｔを介して検出することができる（後述する図６参照）。
【００１８】
さらに押圧操作力が加えられると、上部電極板４０は下部電極板３０と共に変形する。そして、上述したように、下部電極板３０が中央接点１７と接触する。この押圧操作を第２段目の押圧操作と称する。第２段目の押圧操作により、上部電極３０と、下部電極４０と、上部常接接点１８と、下部常接接点１６と、中央接点１７とが導通する。複合スイッチ１はプッシュスイッチの第２段目の出力状態を示す。
この出力状態は、下部常接接点１６と導通する端子１６ｔ、中央接点１７と導通する端子１７ｔを介して検出することができる（図６参照）。勿論、これらに加え、上部常接接点１８と同通する端子１８ｔを介して検出することもできる。
【００１９】
上部電極板４０は、１段目の押圧操作及び２段目の押圧操作に伴って変形するため、下部電極板３０に比べて変動幅が大きい。そのため、脚部４２を設けて弾性力の一部を脚部４２によって発揮させる構造を採っている。これにより、上部電極板４０は、下部電極板３０と比べて、寿命特性や動作特性が劣化しないように構成されている。
【００２０】
上部電極板４０の上には、上部電極板４０を覆って絶縁カバー５０（５０Ａ）が配置される。絶縁カバー５０は、上部電極板４０よりも大径であり、上部電極板４０のボウル形状に沿うように成形されている。絶縁カバー５０の外周部５１には位置決め部５４が形成されている。本体部１０には、位置決め部５４に対応する位置に上方に突出したリブ２５が形成されている。そして、位置決め部５４と本体部に設けられたリブとの当接により、絶縁カバー５０が位置決めされる。
本例の絶縁カバー５０Ａの外周部５１には、位置決め部５４として切り込み５２が設けられている。切り込み５２は、スリットとして設けることができる。本体部１０のリブ２５は、この切り込み５２に対応する位置に形成されている。絶縁カバー５０Ａは、切り込み５２にリブ２５を貫通させて位置決めされる（図４参照）。図３〜図５の断面図に示すように、絶縁カバー５０Ａ（５０）は、上部電極板４０を覆った状態で本体部１０とフレーム８０との間に挟みこまれて固定される。絶縁カバー５０は、ゴムなどの弾性力を有する材料で構成されており、押圧操作に伴って上部電極板４０と共に変形し、復元する。
【００２１】
上部電極板４０、絶縁カバー５０の上には、ブラシ６０が配置される。ブラシ６０は、ブラシ６０よりもさらに上方に配置されるレバー７０に固定されて配置される。レバー７０は、回転操作力を受けてブラシ６０を回転させる。ブラシ６０は、図２に示すように、円環状の固定部６６と、この固定部６６の外周に沿って形成された４本の接触子６５（６１〜６４）とを有している。また、ブラシ６０の固定部６６には、レバー７０の位置決め用のリブ（不図示）と係合する位置決め用の切り欠き６９も形成されている。
レバー７０に固定されたブラシ６０の固定部６６は、本体部１０のフランジ部２７によって支持される（図２、図３、図５参照）。図５に示すように、上部電極板４０の脚部４２と、ブラシ６０の固定部６６とは、複合スイッチ１の上下方向においてオーバーラップする。従って、複合スイッチ１の横方向（径方向）の大きさを抑制することができる。
【００２２】
レバー７０の上には、フレーム８０が配置される。上述したように、本体部１０に、下部電極板３０と、上部電極板４０と、絶縁カバー５０（５０Ａ）と、ブラシ６０と、レバー７０と、フレーム８０とを順次重ね、本体部１０の係合爪２１をフレーム８０の係合孔８１に係合させることによって複合スイッチ１（１Ａ）が組み立てられる。つまり、このように各部品を順次重ね、最後に本体部１０とフレーム８０とを係合させることによって、非常に簡単に複合スイッチ１を組み立てることができる。
【００２３】
以下、図６〜図１１の説明図を利用して、ロータリスイッチの動作について説明する。図６の左側には、本体部１０を上面から見た場合の固定接点１１〜１８のパターン例、及び各固定接点１１〜１８に対応する端子１１ｔ〜１８ｔとの接続例が示されている。図６の右側には、本体部１０に取り付けられた状態でのブラシ６０を上面から見た場合の形状例が示されている。ブラシ６０は、図６に示す姿勢を中立位置として、図６左側の固定接点パターンに重ねられる。接触子６３が図６に示すＡ位置の時は、中立位置である。接触子６３が図６に示すＢ〜Ｅ位置の場合は後述するように、Ｂ位置が右回り第１段、Ｃ位置が右回り第２段、Ｄ位置が左回り第１段、Ｅ位置が左回り第２段である。
【００２４】
図７〜図１１には、上述したＡ〜Ｅ位置において、固定接点１１〜１８にブラシ６０を重ねた場合の例が示されている。図７は、レバー７０が中立位置の場合であり、ブラシ６０も中立位置である。図８及び図９は、レバー７０を右回りに１段及び２段回転させた場合であり、ブラシ６０もレバー７０の回転に応じて回転している。図１０及び図１１は、レバー７０を中立位置から左回りに１段及び２段回転させた場合である。同様にブラシ６０もレバー７０の回転に応じて回転している。
【００２５】
固定接点１１は、ロータリスイッチ用接点の１つであり、ブラシ６０を介してロータリスイッチ用接点の他の何れか１つと導通される共通接点（例えばグラウンド）である。固定接点１２は、ロータリスイッチ用接点の１つであり、右回りの１段目の回転の際にブラシ６０を介して共通接点１１と導通される個別接点である。固定接点１３は、ロータリスイッチ用接点の１つであり、左回りの１段目の回転の際にブラシ６０を介して共通接点１１と導通される個別接点である。固定接点１４は、ロータリスイッチ用接点の１つであり、右回りの２段目の回転の際にブラシ６０を介して共通接点１１と導通される個別接点である。固定接点１５は、ロータリスイッチ用接点の１つであり、左回りの２段目の回転の際にブラシ６０を介して共通接点１１と導通される個別接点である。
固定接点１６は、プッシュスイッチ用接点対の一方であり、下部常接接点である。固定接点１７は、プッシュスイッチ用接点対の他方であり、中央接点である。固定接点１８は、プッシュスイッチ用接点の１つであり、上部常接接点である。上部電極板４０の脚部４２と導通される。
【００２６】
固定接点１１〜１８は、それぞれ端子１１ｔ〜１８ｔと導通している。端子１１ｔ〜１８ｔは、本体部１０の外部に向けて露出されている。端子１１ｔ〜１８ｔとプリント基板等を接続することによって、複合スイッチ１の出力がプリント基板上の電子回路に伝達される。
【００２７】
図２に示すように、ブラシ６０は接触子６５（６１〜６４）を４本有している。符号６１は第１接触子、符号６２は第２接触子、符号６３は第３接触子、符号６４は第４接触子である。また、図４に示すように、各接触子は半球状の接触部６７を有している。ブラシ６０は弾性力を有した金属により形成されている。従って、ブラシ６０の固定部６６の外周に沿って形成された接触子６５は弾性力を有した板バネとなり、接触部６７を固定接点１１〜１５に圧接させる。これによって、ブラシ６０と固定接点１１〜１５が導通する。
以下、図７〜図１１を用いて、ブラシ６０と固定接点１１〜１５との接触について説明するが、各接触子６５の接触部６７の内、何れかの固定接点と有効に接触する接触部６７は黒く塗りつぶして示す。
【００２８】
図７に示す中立位置（Ａ）においては、ブラシ６０の第１接触子６１と第２接触子６２とが、共通接点１１に接触する。他の接触子６３、６４は、何れの固定接点とも接触しない。これにより、ロータリスイッチは、初期状態での出力を示す。
【００２９】
図８に示す右回りへの第１段の回転時（Ｂ）には、ブラシ６０の第１接触子６１は共通接点１１との接触が維持されるが、第２接触子６２は共通接点１１との接触が解消される。第３接触子６３が何れの固定接点とも接触しないことは維持されるが、第４接触子６４は個別接点１２と接触する。これにより、ブラシ６０を介して共通接点１１と個別接点１２とが導通し、ロータリスイッチは右回り第１段の出力を示す。
【００３０】
図９に示す右回りへの第２段の回転時（Ｃ）には、ブラシ６０の第１接触子６１と共通接点１１との接触は維持されるが、第４接触子６４と個別接点１２との接触は解消される。また、第３接触子６３が何れの固定接点とも接触しないことは維持されるが、第２接触子６２は個別接点１４と接触する。これにより、ブラシ６０を介して共通接点１１と個別接点１４とが導通し、ロータリスイッチは右回り第２段の出力を示す。
【００３１】
ここで、再び、中立位置（Ａ）に戻り、左回りへの操作時の動作について説明する。
図１０に示す左回りへの第１段の回転時（Ｄ）には、ブラシ６０の第２接触子６２は共通接点１１との接触が維持されるが、第１接触子６１は共通接点１１との接触が解消される。第４接触子６４が何れの固定接点とも接触しないことは維持されるが、第３接触子６３は個別接点１３と接触する。これにより、ブラシ６０を介して共通接点１１と個別接点１３とが導通し、ロータリスイッチは左回り第１段の出力を示す。
【００３２】
図１１に示す左回りへの第２段の回転時（Ｅ）には、ブラシ６０の第２接触子６２と共通接点１１との接触は維持されるが、第３接触子６３と個別接点１３との接触は解消される。また、第４接触子６４が何れの固定接点とも接触しないことは維持されるが、第１接触子６１は個別接点１５と接触する。これにより、ブラシ６０を介して共通接点１１と個別接点１５とが導通し、ロータリスイッチは左回り第２段の出力を示す。
【００３３】
以上説明したように、ブラシ６０の第１接触子６１は、共通接点１１との接触及び左回り第２段の個別接点１５との接触の２つの機能を兼用する接触子である。また、第２接触子６２は、共通接点１１との接触及び右回り第２段の個別接点１４との接触の２つの機能を兼用する接触子である。第３接触子６３は、左周り第１段の個別接点１３との接触の機能を担う接触子である。第４接触子６４は、右周り第２段の個別接点１２との接触の機能を担う接触子である。そして、これら４つの接触子は同一の円周上に形成されている。つまり、４つの接触子を同一の円周上に形成し、第２段目の個別接点との接触機能を担う接触子に共通接点との接触機能を兼務させることによって、小規模化を実現している。
【００３４】
通常は、特許文献１や２に示されたように、径方向に環状のトラックを増やすことによってロータリスイッチの固定接点が配置される。しかし、本願の複合スイッチ１においては、全ての接触子が同一の円周上に配置される。従って、径方向への大きさを抑制することができる。
【００３５】
〔別実施形態〕
図１２は、本発明の別実施形態に係る複合スイッチの分解斜視図である。図２と比較すると明らかなように、上述した実施形態と、絶縁カバー５０の形状が相違し、他の部分については図２と同様であるので、絶縁カバー５０についてのみ以下に説明する。
本例の絶縁カバー５０Ｂの外周部５１には、位置決め部５４として切り欠き（凹部）５３が設けられている。本体部１０のリブ２５は、この切り欠き５３に対応する位置に形成されている。絶縁カバー５０Ｂは、切り欠き５３に当接するリブ２５に案内されて位置決めされる。
【００３６】
以上説明したように、本発明によって、組み立てが容易で、少ない実装面積を実現可能な複合スイッチを提供することができる。
【産業上の利用可能性】
【００３７】
例えば、フィルムカメラやデジタルカメラなどにおいて、撮影モード切り替えスイッチやズームスイッチと、シャッターとの機能を一体化させるために、本発明の複合スイッチを利用することができる。本発明の複合スイッチを用いることによって、実装面積の削減を図ることができ、カメラを薄型化、小型化することができる。
【図面の簡単な説明】
【００３８】
【図１】本発明の一実施形態に係る複合スイッチの斜視図
【図２】本発明の一実施形態に係る複合スイッチの分解斜視図
【図３】図１のIII−III断面図
【図４】図１のIV−IV断面図
【図５】図１のV−V断面図
【図６】本体部を上面から見た場合の固定接点のパターン例、及び各固定接点に対応する端子との接続例、並びに本体部に取り付けられるブラシを上面から見た場合の形状例を示す説明図
【図７】ロータリスイッチの動作（中立位置）を示す説明図
【図８】ロータリスイッチの動作（右回り第１段目）を示す説明図
【図９】ロータリスイッチの動作（右回り第２段目）を示す説明図
【図１０】ロータリスイッチの動作（左回り第１段目）を示す説明図
【図１１】ロータリスイッチの動作（左回り第２段目）を示す説明図
【図１２】本発明の別実施形態に係る複合スイッチの分解斜視図
【符号の説明】
【００３９】
１：複合スイッチ
１０：本体部
１１：固定接点、ロータリスイッチ用接点、共通接点
１２：固定接点、ロータリスイッチ用接点、個別接点
１３：固定接点、ロータリスイッチ用接点、個別接点
１４：固定接点、ロータリスイッチ用接点、個別接点
１５：固定接点、ロータリスイッチ用接点、個別接点
１６：固定接点、プッシュスイッチ用接点対、下部常接接点
１７：固定接点、プッシュスイッチ用接点対、中央接点
１８：固定接点、プッシュスイッチ用接点、上部常接接点
３０：下部電極板
４０：上部電極板
４１：外縁部
４２：脚部
５０、５０Ａ、５０Ｂ：絶縁カバー
５１：外周部
５２：切り込み（位置決め部）
５３：切り欠き（位置決め部）
５４：位置決め部
６０：ブラシ
６１：第１接触子（接触子）
６２：第２接触子（接触子）
６３：第３接触子（接触子）
６４：第４接触子（接触子）
６５：接触子
６６：固定部
７０：レバー
【図１】
2008177098.tif 000003
【図２】
2008177098.tif 000004
【図３】
2008177098.tif 000005
【図４】
2008177098.tif 000006
【図５】
2008177098.tif 000007
【図６】
2008177098.tif 000008
【図７】
2008177098.tif 000009
【図８】
2008177098.tif 000010
【図９】
2008177098.tif 000011
【図１０】
2008177098.tif 000012
【図１１】
2008177098.tif 000013
【図１２】
2008177098.tif 000014